(57)【要約】  見上げることなく点灯装置を点検することができるエレベータの三方枠を提供する。エレベータの三方枠は、エレベータの乗場の出入口の上方に配置された点灯装置と、前記乗場の出入口の上方から前記乗場の側に水平方向に引き出し得るように前記点灯装置を支持したスライド装置と、を備えた。当該構成によれば、点灯装置は、エレベータの乗場の側に水平方向に引き出される。このため、見上げることなく点灯装置を点検することができる。
2020230205.tif 000002
【特許請求の範囲】
【請求項１】
エレベータの乗場の出入口の上方に配置された点灯装置と、
前記乗場の出入口の上方から前記乗場の側に水平方向に引き出し得るように前記点灯装置を支持したスライド装置と、
を備えたエレベータの三方枠。
【請求項２】
前記点灯装置の上方において上縁部の側を軸として前記乗場の側に開き得るように設けられた幕板、
を備えた請求項１に記載のエレベータの三方枠。
【請求項３】
前記幕板が閉状態となった際に折りたたまれ、前記幕板が開状態となった際に伸長して前記幕板の裏側から前記幕板を支持するステー、
を備えた請求項２に記載のエレベータの三方枠。
【請求項４】
前記幕板が開状態となった際に前記幕板の裏側から前記幕板を支持する支持棒、
を備えた請求項２または請求項３に記載のエレベータの三方枠。
【請求項５】
前記乗場の出入口の一側および他側にそれぞれ設けられた一対の縦枠と、
前記幕板と前記一対の縦枠とよりも前記幕板の裏側に設けられ、前記幕板と前記一対の縦枠との隙間を前記幕板の裏側から塞ぐ間隙確保用部材と、
を備えた請求項２から請求項４のいずれか一項に記載のエレベータの三方枠。
【請求項６】
前記幕板の裏側において前記幕板を閉状態に保持し、前記幕板が工具により開かれることで前記幕板の閉状態を解除する固定装置、
を備えた請求項２から請求項５のいずれか一項に記載のエレベータの三方枠。
【発明の詳細な説明】
【技術分野】
【０００１】
この発明は、エレベータの三方枠に関する。
【背景技術】
【０００２】
特許文献１は、エレベータの三方枠を開示する。当該三方枠によれば、幕板が支軸を中心にして乗場側に回転する。その結果、幕板の内側に取り付けられた点灯装置を乗場側から点検し得る。
【先行技術文献】
【特許文献】
【０００３】
【特許文献１】日本特開平８−３２４９４０号公報
【発明の概要】
【発明が解決しようとする課題】
【０００４】
しかしながら、特許文献１に記載の三方枠においては、点灯装置の直下から点灯装置を点検する必要がある。このため、作業者は、点灯装置の点検の際に見上げながら作業する必要がある。【０００５】
この発明は、上述の課題を解決するためになされた。この発明の目的は、見上げることなく点灯装置を点検することができるエレベータの三方枠を提供することである。
【課題を解決するための手段】
【０００６】
この発明に係るエレベータの三方枠は、エレベータの乗場の出入口の上方に配置された点灯装置と、前記乗場の出入口の上方から前記乗場の側に水平方向に引き出し得るように前記点灯装置を支持したスライド装置と、を備えた。
【発明の効果】
【０００７】
この発明によれば、点灯装置は、エレベータの乗場の側に水平方向に引き出される。このため、見上げることなく点灯装置を点検することができる。
【図面の簡単な説明】
【０００８】
【図１】実施の形態１におけるエレベータの三方枠の正面図である。
【図２】図１のＡ−Ａ線における断面図である。
【図３】図１のＢ−Ｂ線における断面図である。
【図４】実施の形態１におけるエレベータの三方枠のスライド装置の例を示す詳細図である。
【図５】実施の形態２におけるエレベータの三方枠の正面図である。
【図６】図５のＣ−Ｃ線における断面図である。
【図７】実施の形態２におけるエレベータの三方枠のステーの例を示す詳細図である。
【図８】実施の形態２におけるエレベータの三方枠の要部の正面図である。
【図９】図８のＤ−Ｄ線における断面図である。
【図１０】実施の形態２におけるエレベータの三方枠の固定装置の例を示す詳細図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベータの三方枠の正面図である。図２は図１のＡ−Ａ線における断面図である。図３は図１のＢ−Ｂ線における断面図である。図４は実施の形態１におけるエレベータの三方枠のスライド装置の例を示す詳細図である。
【００１１】
図１に示されるように、エレベータの三方枠は、エレベータ乗場１の出入口に設けられる。エレベータの三方枠は、一対の縦枠２と点灯装置３とを備える。
【００１２】
一対の縦枠２の一方は、エレベータ乗場１の出入口の一側に設けられる。一対の縦枠２の他方は、エレベータ乗場１の出入口の他側に設けられる。点灯装置３は、エレベータ乗場１の出入口の上側に設けられる。例えば、点灯装置３は、図示されないかごが現時点で位置する階床を示すインジケーターである。
【００１３】
図２と図３とに示されるように、エレベータの三方枠は、下枠４と一対のスライド装置９と備える。
【００１４】
下枠４は、一対の縦枠２の上部に挟み込まれる。下枠４は、点灯装置３を下方から支持する。一対のスライド装置９の一方は、一対の縦枠２の一方に設けられる。一対のスライド装置９の他方は、一対の縦枠２の他方に設けられる。
【００１５】
図４に示されるように、一対のスライド装置９は、スライド機構を備える。一対のスライド装置９は、エレベータ乗場１の側に水平方向に引き出し得るように点灯装置３を支持する。
【００１６】
以上で説明した実施の形態１によれば、エレベータの三方枠において、点灯装置３は、一対のスライド装置９に連動してエレベータ乗場１の側に水平方向に引き出される。このため、見上げることなく点灯装置３を点検することができる。
【００１７】
特に、一対のスライド装置９は、点灯装置３の点検が必要ないときにエレベータの三方枠の内部に収納される。このため、エレベータの三方枠の意匠性を損ねることがない。その結果、点灯装置３も容易に組み付けることができる。
【００１８】
実施の形態２．
図５は実施の形態２におけるエレベータの三方枠の正面図である。図６は図５のＣ−Ｃ線における断面図である。
【００１９】
図５に示されるように、実施の形態２のエレベータの三方枠は、幕板５を備える。幕板５は、点灯装置３の直上に設けられる。幕板５は、エレベータの意匠面を構成する。
【００２０】
図６に示されるように、幕板５の上縁部は、支軸１０に支持される。支持棒６は、幕板５の意匠面の裏側に取り外し可能に設置される。固定装置８は、幕板５の意匠面の裏側の下端に設けられる。ステー７は、幕板５の意匠面の裏側に設置される。
【００２１】
幕板５は、支軸１０を中心にしてエレベータ乗場１の側に回転し持ち上げられることで開く。支持棒６は、幕板５が開状態になった際に幕板５の裏側から幕板５を支持するストッパーとして働く。ステー７は、幕板５が閉状態になった際には折りたたまれ、幕板５が開状態になった際に伸長する。固定装置８は、幕板５を閉状態に保持する。例えば、固定装置８は、幕板５の落下防止機構を備える。例えば、固定装置８には、キャッチ類が使用される。
【００２２】
次に、図７を用いて、ステー７の例を説明する。
図７は実施の形態２におけるエレベータの三方枠のステーの例を示す詳細図である。
【００２３】
図７に示されるように、ステー７は、２本のアームを鋲でつなげて形成される。ステー７は、幕板５が閉状態になった際に鋲を中心にして折りたたまれる。ステー７は、幕板５が開状態になった際に幕板５の裏側から幕板５を支持する。
【００２４】
次に、図８と図９とを用いて、幕板５と縦枠２との間の隙間を説明する。
図８は実施の形態２におけるエレベータの三方枠の要部の正面図である。図９は図８のＤ−Ｄ線における断面図である。
【００２５】
図８と図９とに示されるように、幕板５と縦枠２との隙間および三方枠と幕板５の上部との隙間よりも幕板５の裏側には、間隙確保用部材１１が配置される。間隙確保用部材１１は、幕板５と縦枠２との隙間および三方枠と幕板５の上部の隙間を幕板５の裏側から塞ぐ。
【００２６】
次に、図１０を用いて、固定装置８の例を説明する。
図１０は実施の形態２におけるエレベータの三方枠の固定装置の例を示す詳細図である。
【００２７】
例えば、固定装置８は、ローラーキャッチである。例えば、固定装置８は、ボールキャッチである。例えば、固定装置８は、マグネットキャッチである。その結果、幕板５は、閉状態に維持される。
【００２８】
この状態において、作業員は、工具１２を用いて幕板５を開く。例えば、工具１２は、持ち手を備えた吸盤である。作業員は、工具１２を幕板５の表側に吸着させた状態で持ち手をもって幕板５を開く。
【００２９】
以上で説明した実施の形態２によれば、点灯装置３の点検の際に幕板５を開くことができる。このため、点灯装置３を引き出さなくても、点灯装置３の上部を容易に点検することができる。
【００３０】
また、ステー７は、幕板５が開状態となった際に伸長して幕板５の裏側から５幕板を支持する。このため、点灯装置３の点検時に幕板５が閉じることを防止できる。この際、幕板５の開閉途中において、ステー７の保持機構が効く。このため、幕板５が自重で落下することを防止できる。
【００３１】
また、支持棒６は、幕板５が開状態となった際に幕板５の裏側から幕板５を支持する。このため、点灯装置３の点検時に幕板５が衝撃により閉じることを防止できる。
【００３２】
また、間隙確保用部材１１は、幕板５と縦枠２との隙間および三方枠と幕板５の上部との隙間よりも幕板５の裏側に配置される。このため、幕板５と縦枠２の隙間を確保することで幕板５の開閉を容易にしつつ、幕板５と縦枠２の隙間から幕板５の内部の構造物が見えないようにすることができる。その結果、エレベータの三方枠の意匠性を高めることができる。
【００３３】
また、固定装置８は、幕板５を開状態に保持する。固定装置８は、幕板５が工具１２により開かれることで幕板５の閉状態を解除する。このため、点灯装置３の点検の際に、簡易な形状の工具１２を用いるだけで、幕板５を円滑に開閉することができる。
【００３４】
なお、幕板５の表側には、指をかける領域等が存在しない。このため、固定装置８の保持から幕板５を解除するためには、工具１２が必要となる。この場合、工具１２を持っていない第三者が幕板５を開閉するなどのいたずらを防止することができる。
【産業上の利用可能性】
【００３５】
以上のように、この発明に係るエレベータの三方枠は、エレベータに利用できる。
【符号の説明】
【００３６】
１  エレベータ乗場
２  縦枠
３  点灯装置
４  下枠
５  幕板
６  支持棒
７  ステー
８  固定装置
９  スライド装置
１０  支軸
１１  間隙確保用部材
１２  工具
【図１】
2020230205.tif 000003
【図２】
2020230205.tif 000004
【図３】
2020230205.tif 000005
【図４】
2020230205.tif 000006
【図５】
2020230205.tif 000007
【図６】
2020230205.tif 000008
【図７】
2020230205.tif 000009
【図８】
2020230205.tif 000010
【図９】
2020230205.tif 000011
【図１０】
2020230205.tif 000012
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
エレベータの乗場の出入口の上方に配置された点灯装置と、
前記乗場の出入口の上方から前記乗場の側に水平方向に引き出し得るように前記点灯装置を支持したスライド装置と、
前記点灯装置の上方において上縁部の側を軸として前記乗場の側に開き得るように設けられた幕板と、
を備えたエレベータの三方枠。
【請求項２】
前記幕板が閉状態となった際に折りたたまれ、前記幕板が開状態となった際に伸長して前記幕板の裏側から前記幕板を支持するステー、
を備えた請求項１に記載のエレベータの三方枠。
【請求項３】
前記幕板が開状態となった際に前記幕板の裏側から前記幕板を支持する支持棒、
を備えた請求項１または請求項２に記載のエレベータの三方枠。
【請求項４】
前記乗場の出入口の一側および他側にそれぞれ設けられた一対の縦枠と、
前記幕板と前記一対の縦枠とよりも前記幕板の裏側に設けられ、前記幕板と前記一対の縦枠との隙間を前記幕板の裏側から塞ぐ間隙確保用部材と、
を備えた請求項１から請求項３のいずれか一項に記載のエレベータの三方枠。
【請求項５】
前記幕板の裏側において前記幕板を閉状態に保持し、前記幕板が工具により開かれることで前記幕板の閉状態を解除する固定装置、
を備えた請求項１から請求項４のいずれか一項に記載のエレベータの三方枠。
【手続補正２】
【補正対象書類名】明細書
【補正対象項目名】０００６
【補正方法】変更
【補正の内容】
【０００６】
この発明に係るエレベータの三方枠は、エレベータの乗場の出入口の上方に配置された点灯装置と、前記乗場の出入口の上方から前記乗場の側に水平方向に引き出し得るように前記点灯装置を支持したスライド装置と、前記点灯装置の上方において上縁部の側を軸として前記乗場の側に開き得るように設けられた幕板と、を備えた。
【国際調査報告】
2020230205.tif 000013
2020230205.tif 000014
2020230205.tif 000015
2020230205.tif 000016